(57)【要約】【課題】従来のダンベルに比べ、多種多様なトレーニング形態で使用可能なトレーニング器具を提供する。【解決手段】トレーニング器具１０は、平行配列された丸棒状の二本の把持部材１１，１１の両端に設けられた正六面体形状の重錘１２，１３と、把持部材１１，１１の長手方向と平行をなす重錘１２，１３の外面である底面１４，１５にそれぞれ当該底面１４，１５から突出した状態で設けられた回転自在な車輪１６と、を備え、重錘１２，１３と同形の重錘１２，１３を有する他のトレーニング器具１０と着脱可能に連結するための連結手段として、重錘１２の四つの外面にそれぞれ円柱状をした二本の突起部１９が設けられ、重錘１３の四つの外面にそれぞれ突起部１９が着脱可能に嵌入できる内径・深さの円形の穴部２０が設けられている。【選択図】図１
2010220676.tif 000002
【特許請求の範囲】
【請求項１】
棒状の把持部材の両端に設けられた多面体形状の重錘と、前記把持部材の長手方向と平行をなす前記重錘の外面に当該外面から突出した状態で設けられた回転自在な回転体と、を備え、前記重錘と同形の重錘を有する他のトレーニング器具と着脱可能に連結するための連結手段を前記重錘の外面に設けたことを特徴とするトレーニング器具。
【請求項２】
前記連結手段として、磁石、ネジ機構、凹凸嵌合機構の少なくとも一つを設けた請求項１記載のトレーニング器具。
【請求項３】
前記回転体が前記重錘内に収納可能若しくは前記重錘に着脱可能である請求項１または２記載のトレーニング器具。
【発明の詳細な説明】
【技術分野】
【０００１】
本発明は、人体の各部の筋肉を鍛錬するために使用するトレーニング器具に関する。
【背景技術】
【０００２】
人体の筋肉を鍛錬するための器具としては、従来、ダンベル、バーベルあるいはアレイなど様々なものが使用されているが、本願発明に関連するものとして、特許文献１記載の「ダンベル」がある。この「ダンベル」は、把持部の両端に直方体をした重錘部を有し、それぞれの重錘部の長手方向の平面に把持部軸線と直角方向に回転する複数の車輪が設けられている。重錘部の車輪側を床面に当接させ、把持部を手で持って腕立て伏せの姿勢をとった状態で両腕の開閉運動を行うと大胸筋に大きな負荷を与えることができるので筋肉の鍛錬に有効である。
【先行技術文献】
【特許文献】
【０００３】
【特許文献１】特開２００４−３０５６８５号公報
【発明の概要】
【発明が解決しようとする課題】
【０００４】
特許文献１記載の「ダンベル」は重錘部に車輪を有しているため、従来のダンベルに比べるとトレーニングの多様性が増し、身体の様々な部分の筋肉を鍛錬することができる。しかしながら、この「ダンベル」は、重錘部に車輪を付加した点を除けば、従来のダンベルの域を出ていないので、トレーニングの多様性にも限界がある。
【０００５】
本発明が解決しようとする課題は、従来のダンベルに比べ、多種多様なトレーニング形態で使用可能なトレーニング器具を提供することにある。
【課題を解決するための手段】
【０００６】
本発明のトレーニング器具は、把持部材の両端に設けられた多面体形状の重錘と、前記把持部材の長手方向と平行をなす前記重錘の外面に当該外面から突出した状態で設けられた回転自在な回転体と、を備え、前記重錘と同形の重錘を有する他のトレーニング器具と着脱可能に連結するための連結手段を前記重錘の外面に設けたことを特徴とする。
【０００７】
このような構成とすれば、把持部材を手で握って昇降させる運動や、重錘の車輪側を床面に当接させた状態で把持部材を手で握って腕立て伏せの姿勢で両腕を開閉させる運動をすることができるのに加え、複数の当該トレーニング器具の重錘同士を連結手段を用いて連結することにより、重さ及び形状を変化させることができるので、従来のダンベルに比べ、多種多様なトレーニング形態で使用可能である。
【０００８】
ここで、前記連結手段として、磁石、ネジ機構、凹凸嵌合機構の少なくとも一つを設けることができる。連結手段として、磁石を設ければ重錘の外観や形状に影響を与えることなく着脱操作の容易な連結を行うことができ、ネジ機構を設ければ強固な連結力を得ることができ、凹凸嵌合機構を設ければ着脱操作が容易で互いにズレ難い連結を得ることができる。
【０００９】
一方、前記回転体が前記重錘内に収納可能若しくは前記重錘に着脱可能な構成とすることもできる。このような構成とすれば、必要に応じて、回転体を重錘内に収納したり、回転体を重錘から離脱させたりすることができるので、回転体を使用しない運動を行うときに回転体が妨げとならず、便利である。また、回転体を重錘内に収納したり、重錘から離脱させたりしておけば、当該トレーニング器具の持ち運び性が良好となり、保管スペースを削減することもできる。
【発明の効果】
【００１０】
本発明により、従来のダンベルに比べ、多種多様なトレーニング形態で使用可能なトレーニング器具を提供することができる。
【図面の簡単な説明】
【００１１】
【図１】本発明の実施形態であるトレーニング器具を示す斜視図である。
【図２】図１に示すトレーニング器具の平面図である。
【図３】図１に示すトレーニング器具の正面図である。
【図４】図１に示すトレーニング器具の底面図である。
【図５】図１に示すトレーニング器具の右側面図である。
【図６】図１に示すトレーニング器具の左側面図である。
【図７】（ａ）は図３におけるＡ−Ａ線断面図であり、（ｂ）は車輪を収納した状態を示す断面図である。
【図８】図１に示すトレーニング器具の使用例を示す図である。
【図９】図１に示すトレーニング器具の使用例を示す図である。
【図１０】図１に示すトレーニング器具の使用例を示す図である。
【図１１】本発明のその他の実施形態であるトレーニング器具を示す斜視図である。
【図１２】図１１に示すトレーニング器具の使用例を示す図である。
【図１３】本発明のその他の実施形態であるトレーニング器具を示す斜視図である。
【発明を実施するための形態】
【００１２】
以下、図面に基づいて本発明の実施形態について説明する。図１〜図６に示すように、本実施形態のトレーニング器具１０は、平行配列された丸棒状の二本の把持部材１１，１１の両端に設けられた正六面体形状の重錘１２，１３と、把持部材１１，１１の長手方向と平行をなす重錘１２，１３の外面である底面１４，１５にそれぞれ当該底面１４，１５から突出した状態で設けられた回転自在な車輪１６と、を備え、重錘１２，１３と同形の重錘１２，１３を有する他のトレーニング器具１０と着脱可能に連結するための連結手段として、重錘１２の四つの外面にそれぞれ円柱状をした二本の突起部１９が設けられ、重錘１３の四つの外面にそれぞれ突起部１９が着脱可能に嵌合できる内径・深さの円形の穴部２０が設けられている。
【００１３】
重錘１２においては、その底面１４及び内側面１７を除く他の外面にそれぞれ突起部１９が二つずつ突設され、重錘１３においては、その底面１５及び内側面１８を除く他の外面にそれぞれ穴部２０が二つずつ開設されている。重錘１２の外面における二つの突起部１９の間隔及び位置と、重錘１３の外面における二つの穴部２０の間隔及び位置と、は同等とに形成されている。重錘１２の二つの突起部１９及び重錘１３の二つの穴部２０はそれぞれ正方形をした外面の仮想対角線の一つに沿って配列されている。
【００１４】
図３〜図６及び図７（ａ）に示すように、重錘１２の底面１４に設けられた車輪１６は把持部材１１と平行な支軸２１に回転自在に取り付けられ、支軸２１はキャスタ２２及び支柱２３と一体化され、重錘１２内部に底面１４と垂直方向に形成された支持穴２４にバネ２５を介在させた状態で支柱２３の上方を挿入することにより、車輪１６はキャスタ２２及び支柱２３などともに昇降可能に保持されている。バネ２５は支柱２３の上端部２３ａと支持穴２４の天井部２４ａとの間に配置され、車輪１６にサスペンション機能を持たせている。
【００１５】
支柱２３は、折曲部２３ｃを介して折り曲げ可能に連結された上部支柱２３ｂと下部支柱２３ｄとで構成され、重錘１２内部の車輪１６の背面側には車輪収納用の空洞部２６が設けられ、図４に示すように、底面１４における空洞部２６の開口面２６ａには、支軸２１と平行方向にスライドして開口面２６ａの一部を閉塞・開放する一対のストッパ２７が設けられている。
【００１６】
図７（ａ）に示すように、重錘１２の底面１４に車輪１６が突出した状態にあるとき、支柱２３はバネ２５を介して支持穴２４内に昇降可能に保持されている。車輪１６を重錘１２内に収納する場合は、図７（ｂ）に示すように、車輪１６を支柱２３長手方向に引っ張り、折曲部２３ｃが支持穴２４の下端部２４ｂから露出した時点で、車輪１６などとともに下部支柱２３ｄを折曲部２３ｃ中心に空洞部２６に向かって折り曲げれば、車輪１６は空洞部２６内へ収納され底面１４はフラットな状態となる。
【００１７】
なお、車輪１６などを空洞部２６内へ収納する前に一対のストッパ２７を互いに離れる方向へそれぞれスライドさせて開口面２６ａを開放しておき、車輪１６が空洞部２６内へ収納されたら、一対のストッパ２７をスライドさせて元の位置へ戻し、開口面２６ａの一部を閉塞すれば、車輪１６は空洞部２６内に脱出不能に保持される。車輪１６を空洞部２６から出す場合は、前述と逆の操作を行う。他方の重錘１３については、図示していないが、図７と同様の機構が設けられ、車輪１６の出し入れを行うことができる。
【００１８】
トレーニング器具１０の使い方は限定しないので、従来のダンベルなどと同様、把持部１１のいずれか一方または両方を手で把持して動かすことによって身体の各部の筋力を鍛錬することができる。この場合、把持部１１を持つ位置、角度などを変えるだけで筋肉への負荷を大きく変化させることができるので効果的なトレーニングを行うことができる。例えば、床面に載置した二つのトレーニング器具１０の把持部１１をそれぞれ左右の手で把持して腕立て伏せ運動を行う場合、二本の把持部１１のいずれを把持するかによって床面から把持している部分までの高さを変えることで、大胸筋などへの負荷を調節することができるため、１種類のトレーニング器具１０により、極めて多様性に富んだトレーニングを行うことができる。そのほか、床面に載置した二つのトレーニング器具１０の把持部１１の間に足先を挟持した状態で腹筋運動を行うこともできる。
【００１９】
さらに、図３に示すように、重錘１２，１３の車輪１６を床面Ｆに当接させた状態で把持部材１１を手で握って腕立て伏せの姿勢で両腕を開閉させる運動をすることもできる。さらに、図８に示すようにトレーニング器具１０の重錘１３の外面の穴部２０に、他のトレーニング器具１０の重錘１２の外面の突起部１９を嵌入させ重錘１２，１３同士を連結すれば、二つのトレーニング器具１０同士が把持部材１１の長手方向に連結された状態となるため、左右の手でそれぞれの把持部材１１を把持すれば従来のバーベルのような使い方をすることもできる。
【００２０】
一方、重錘１２の外面の突起部１９と重錘１３の外面の穴部２０とからなる着脱可能な連結手段を利用すれば、図９に示すように、複数のトレーニング器具１０同士をそれぞれの把持部材１１が平行をなすように連結したり、図１０に示すように、複数のトレーニング器具１０同士を、それぞれの把持部材１１が直角をなすように連結したりして使用することもできる。このように、複数のトレーニング器具１０同士を連結することにより、多種多様なトレーニングを行うことができ、優れた筋力鍛錬効果を得ることができる。
【００２１】
以上のように、トレーニング器具１０は単独で使用することができるだけでなく、複数のトレーニング器具１０の重錘１２，１３同士を突起部１９と穴部２０とからなる連結手段を用いて連結することにより、重さ及び形状を変化させることができるので、従来のダンベルなどの運動器具に比べ、多種多様なトレーニング形態で使用可能である。また、連結手段として、突起部１９と穴部２０とからなる凹凸嵌合機構を設けているため、重錘１２，１３の着脱操作は容易であり、互いにズレ難い連結を得ることができる。
【００２２】
さらに、重錘１２，１３の底面１４，１５に、回転体の一つである車輪１６を設けるとともに、車輪１６は重錘１２，１３内の空洞部２６に収納可能構成としたことにより、必要に応じて、車輪１６を重錘１２，１３内に収納することができるので、車輪１６を使用しない運動を行うときに車輪１６が妨げとならず、便利である。また、車輪１６を重錘１２，１３内に収納しておけば、トレーニング器具１０の持ち運び性が良好となり、保管スペースを削減することもできる。なお、図７において、バネ２５の上端を支持穴２４の天井部２４ａに係止し、支柱２３の上端部２３ａがバネ２５の下端部に係脱可能とすることにより、支柱２３が支持穴２４に出し入れ可能な構造とすれば、車輪１６部分全体（車輪１６、支軸２１、キャスタ２２及び支柱２３を含む部分）が重錘１２，１３に着脱可能となる。
【００２３】
次に、図１１〜図１３に基づいて、本発明のその他の実施形態について説明する。図１１に示すトレーニング器具３０においては、平行配列された丸棒状の二本の把持部材１１，１１の両端に設けられた正六面体形状の重錘３２，３３の内側面３７，３８を除く外面にそれぞれ雌ネジ部３９，４０が開設されている。雌ネジ部３９，４０はそれぞれ、重錘３２，３３の正方形をした外面の仮想対角線の交点に一つずつ開設されている。重錘３２の雌ネジ部３９は右ネジであり、重錘３３の雌ネジ部４０は左ネジである。トレーニング器具３０を単独で使用する場合は前述したトレーニング器具１０と同様の使い方をすることができる。
【００２４】
図１２に示すように、複数のトレーニング器具３０を連結する場合、図１１に示す連結部材３５を使用する。連結部材３５は円板状の本体部３５Ａと、本体部３５Ａの左右両面の中心に突設された雄ネジ部３５Ｌ，３５Ｒとで構成されている。雄ネジ部３５Ｌは左ネジであり、雄ネジ部３５Ｒは右ネジである。
【００２５】
図１２に示すように、連結部材３５の雄ネジ部３５Ｌを一方のトレーニング器具３０の重錘３３の雌ネジ部４０に螺合させ、雄ネジ部３５Ｒを他方のトレーニング器具３０の重錘３２の雌ネジ部３９に螺合させ、重錘３２，３３の間に位置する本体部３５Ａを締め付け方向に回転させれば、複数のトレーニング器具３０を連結することができる。トレーニング器具３０においては、連結手段として、前述したネジ機構を設けているため強固な連結力を得ることができる。
【００２６】
図１３に示すトレーニング器具５０においては、平行配列された丸棒状の二本の把持部材１１，１１の両端に設けられた正六面体形状の重錘５２，５３の内側面５７，５８を除く外面にそれぞれ円板状の磁石５５を設けている。磁石５５はそれぞれ、重錘５２，５３の正方形をした外面の仮想対角線の交点に一つずつ配置され、各磁石５５は外面と平行な支軸５６を中心に表裏反転可能である。トレーニング器具５０を単独で使用する場合は前述したトレーニング器具１０と同様の使い方をすることができる。
【００２７】
トレーニング器具５０の重錘５２，５３の外面の磁石５５いずれかを他のトレーニング器具５０の重錘５２，５３の外面の磁石５５のいずれかに接近させれば磁力によって両者が密着するので、複数のトレーニング器具５０同士を容易に連結することができる。また、支軸５６を中心に磁石５５を表裏反転させることにより露出面の磁極Ｎ，Ｓを変更することができるため、複数のトレーニング器具５０の重錘５２，５３の任意の外面同士を連結することができる。
【産業上の利用可能性】
【００２８】
本発明のトレーニング器具はトレーニングジム、スポーツジムあるいは一般家庭などにおいて広く利用することができる。
【符号の説明】
【００２９】
１０，３０，５０  トレーニング器具
１１  把持部材
１２，１３，３２，３３，５２，５３  重錘
１４，１５  底面
１６  車輪
１７，１８，３７，３８，５７，５８  内側面
１９  突起部
２０  穴部
２１  支軸
２２  キャスタ
２３  支柱
２３ａ  上端部
２３ｂ  上部支柱
２３ｃ  折曲部
２３ｄ  下部支柱
２４  支持穴
２４ａ  天井部
２４ｂ  下端部
２５  バネ
２６  空洞部
２６ａ  開口面
２７  ストッパ
３５  連結部材
３５Ａ  本体部
３５Ｌ，３５Ｒ  雄ネジ部
３９，４０  雌ネジ部
５５  磁石
５６  支軸
【図１】
2010220676.tif 000003
【図２】
2010220676.tif 000004
【図３】
2010220676.tif 000005
【図４】
2010220676.tif 000006
【図５】
2010220676.tif 000007
【図６】
2010220676.tif 000008
【図７】
2010220676.tif 000009
【図８】
2010220676.tif 000010
【図９】
2010220676.tif 000011
【図１０】
2010220676.tif 000012
【図１１】
2010220676.tif 000013
【図１２】
2010220676.tif 000014
【図１３】
2010220676.tif 000015